(57)【要約】  【課題】  好ましい節電効果を有する４極蛍光灯ランプを提供する。【解決手段】  電極となる４つのフィラメントA、B、C、Dを含んでなり、それぞれ２本の導線を含み直接電源のプラス、マイナス極に電気的に接続し、該フィラメントの２本の導線から選択する１本と、別途該フィラメントの２本の導線から選択する１本と直列で電気的に接続する抵抗Ｒｓとによって４極蛍光灯ランプ（FL）を構成する。【選択図】  図１
2004296443.tif 000002
【特許請求の範囲】
【請求項１】
電極となる４つのフィラメントA、B、C、Dを含んでなり、それぞれ２本の導線を含み直接電源のプラス、マイナス極に電気的に接続し、該フィラメントの２本の導線から選択する１本と、別途該フィラメントの２本の導線から選択する１本と直列で電気的に接続する抵抗Ｒｓとを具えてなることを特徴とする４極蛍光灯ランプ。
【請求項２】
電極となる４つのフィラメントＡ、Ｂ、Ｃ、を含み、該フィラメントAは、導線（La１）と、導線（La１）とを含んでなり、該フィラメントBは導線(La３)と、導線（La４）とを含んでなり、該フィラメントCは導線（Lb4）と、導線（Lb2）とを含んでなり、該フィラメントDは、導線（Lb３）と導線（Lb３）とを含んでなり、
該電極Aと電極Dは、１つの導線がPNPトランジスタ（TR-1）、（TR-4）に接続し、電極Cと、電極Bは、１つの導線がNPNトランジスタ（TR-2）、（TR-3）に接続し、該トランジスタ（TR-1）、（TR-2）、（TR-3）（TR-4）は対応する導線を切り替えて使用し、
コンデンサ（C1）、（C2）、（C3）、（C4）は電荷保存に使用され、且つ、トランジスタに電気を供給するため、トランジスタを駆動させることができよう構成し、該コンデンサ（C1）は、トランジスタ（TR-1）、（TR-2）のエミッター間に接続し、該コンデンサ（C2）はトランジスタ（TR-1）（TR-2）のコレクター（集電極）間に設けられ、該コンデンサ（C4）は、トランジスタ（TR-3）、（TR-4）のエミッター間に設けられ、該コンデンサ（C3）は、トランジスタ（TR-3）、（TR-4）のコレクター（集電極）間に設けられ、該トランジスタ（TR-1）は抵抗（R3）、（R2）を通してトランジスタ（TR-2）のエミッターに接続する。トランジスタ（TR-2）のベース電極は、抵抗（R4）（R5）を通してトランジスタ（TR-1）のエミッターに接続する。トランジスタ（TR-3）のベース電極は、抵抗（R9）、（R8）を通してトランジスタ（TR-4）のエミッターに接続すし、該トランジスタ（TR-4）のベース電極は、抵抗（R10）、（R11）を通してトランジスタ（TR-3）のエミッターに接続し、
全てのダイオードを直列で電気的に接続して全波整流回路を形成し、該回路の一端が電源のC’端に電気的に接続し、他端が電源のA’端に電気的に接続し、
該トランジスタ（TR-1）、（TR-2）、（TR-3）、（TR-4）が接続するトランジスタは電流の制限された抵抗を介してダイオードに接続し、該トランジスタ（TR-1）のベース電極は抵抗（R3）、（R1）を介してダイオード（D1）、（D2）の間に接続する。該トランジスタ（TR-2）のベース電極は抵抗（R4）、（R6）を介してダイオード（D3）、（D4）の間に接続する。該トランジスタ（TR-3）のベース電極は電気抵抗（R9）、（R7）を介してダイオード（D5）、（D6）の間に接続する。該トランジスタ（TR-4）のベース電極は電気抵抗（R10）、（R12）を介してダイオード（D7）、（D8）の間に接続することを特徴とする４極蛍光灯付属回路。
【請求項３】
前記４極蛍光灯回路はダイオード回路の電源に近い一端にヒューズ（FUSE）を直列で電気的に接続することを特徴とする請求項２に記載の４極蛍光灯付属回路。
【請求項４】
前記４極蛍光灯回路は、直列される抵抗値の異なる複数の抵抗との電気的接続を遮断することによって、異なる抵抗値の接続に切換、供給電流の大小を変化させて明るさの調整を行うために電源の入力端に設けるスイッチを含むことを特徴とする請求項１に記載の４極蛍光灯ランプ。
【発明の詳細な説明】
【技術分野】
【０００１】
この発明は、４極蛍光灯ランプ及びそのスターター回路装置に関し、特に直流電圧のプラスとマイナスを交換して電力を供給することができる４極蛍光灯ランプ及びそのスターター回路装置に関する。
【背景技術】
【０００２】
従来の蛍光灯は、２つの電極と、単純な電気回路とを含んで形成する。しかし、従来の蛍光灯は消費電力量が大きく、照明の明るさの安定性が低い。このため、突然、周波が乱れ、ノイズが発生し、使用者に不快感を与える。また、従来の蛍光灯はスターターを必ず使用しなければならなかったため、照明をつける場合、明るさが不安定になり、使用者の目に傷害を与える。
【０００３】
また、従来の蛍光灯は安定器が、けい素鋼、或いはマグネット炭素から形成される。よって、変圧器のように、不安定で重量が重く、電磁場やノイズを発生する。また、高周波のスターターは人体に傷害を与える。特に聴力や脳に対して障害を与えると共に、医学機器や飛行機の管制システムにも影響を与える。
【発明の開示】
【発明が解決しようとする課題】
【０００４】
この発明は、蛍光灯の中に４つの電気線を具え、直流電圧のプラスとマイナスを交換することができ、好ましい節電効果を有する４極蛍光灯ランプ及びそのスターター回路装置を提供することを課題とする。
【課題を解決するための手段】
【０００５】
請求項１に記載する４極蛍光灯ランプは、電極となる４つのフィラメントA、B、C、Dを含んでなり、それぞれ２本の導線を含み直接電源のプラス、マイナス極に電気的に接続し、該フィラメントの２本の導線から選択する１本と、別途該フィラメントの２本の導線から選択する１本と直列で電気的に接続する抵抗Ｒｓとを具えてなる。
【０００６】
請求項２に記載する４極蛍光灯付属回路は、電極となる４つのフィラメントＡ、Ｂ、Ｃ、を含み、該フィラメントAは、導線（La１）と、導線（La１）とを含んでなり、該フィラメントBは導線(La３)と、導線（La４）とを含んでなり、該フィラメントCは導線（Lb4）と、導線（Lb2）とを含んでなり、該フィラメントDは、導線（Lb３）と導線（Lb３）とを含んでなり、
該電極Aと電極Dは、１つの導線がPNPトランジスタ（TR-1）、（TR-4）に接続し、電極Cと、電極Bは、１つの導線がNPNトランジスタ（TR-2）、（TR-3）に接続し、該トランジスタ（TR-1）、（TR-2）、（TR-3）（TR-4）は対応する導線を切り替えて使用し、
コンデンサ（C1）、（C2）、（C3）、（C4）は電荷保存に使用され、且つ、トランジスタに電気を供給するため、トランジスタを駆動させることができよう構成し、該コンデンサ（C1）は、トランジスタ（TR-1）、（TR-2）のエミッター間に接続し、該コンデンサ（C2）はトランジスタ（TR-1）（TR-2）のコレクター（集電極）間に設けられ、該コンデンサ（C4）は、トランジスタ（TR-3）、（TR-4）のエミッター間に設けられ、該コンデンサ（C3）は、トランジスタ（TR-3）、（TR-4）のコレクター（集電極）間に設けられ、該トランジスタ（TR-1）は抵抗（R3）、（R2）を通してトランジスタ（TR-2）のエミッターに接続する。トランジスタ（TR-2）のベース電極は、抵抗（R4）（R5）を通してトランジスタ（TR-1）のエミッターに接続する。トランジスタ（TR-3）のベース電極は、抵抗（R9）、（R8）を通してトランジスタ（TR-4）のエミッターに接続すし、該トランジスタ（TR-4）のベース電極は、抵抗（R10）、（R11）を通してトランジスタ（TR-3）のエミッターに接続し、
全てのダイオードを直列で電気的に接続して全波整流回路を形成し、該回路の一端が電源のC’端に電気的に接続し、他端が電源のA’端に電気的に接続し、
該トランジスタ（TR-1）、（TR-2）、（TR-3）、（TR-4）が接続するトランジスタは電流の制限された抵抗を介してダイオードに接続し、該トランジスタ（TR-1）のベース電極は抵抗（R3）、（R1）を介してダイオード（D1）、（D2）の間に接続する。該トランジスタ（TR-2）のベース電極は抵抗（R4）、（R6）を介してダイオード（D3）、（D4）の間に接続する。該トランジスタ（TR-3）のベース電極は電気抵抗（R9）、（R7）を介してダイオード（D5）、（D6）の間に接続する。該トランジスタ（TR-4）のベース電極は電気抵抗（R10）、（R12）を介してダイオード（D7）、（D8）の間に接続する。
【０００７】
請求項３に記載する４極蛍光灯付属回路は、請求項２におけるダイオード回路の電源に近い一端にヒューズ（FUSE）を直列で電気的に接続する。
【０００８】
請求項４に記載する４極蛍光灯は、請求項１における４極蛍光灯回路が、直列される抵抗値の異なる複数の抵抗との電気的接続を遮断することによって、異なる抵抗値の接続に切換、供給電流の大小を変化させて明るさの調整を行うために電源の入力端に設けるスイッチをさらに含む。
【発明の効果】
【０００９】
この発明による４極蛍光灯ランプ及びそのスターター回路装置は、電磁波、電磁場を発生することがない効果を高める利点を有する。
【００１０】
この発明は簡易な構造で、好ましい節電の効果を得ることができる。
【発明を実施するための最良の形態】
【００１１】
図１に、この発明による４極蛍光灯ランプの平面図を開示する。図示によると、該４極蛍光灯ランプ（FL）は、４つのフィラメント（A）、（B）、（C）、（D）を含んでなる。該フィラメント（A）は、導線（La１）と、導線（La１）とを含んでなる。該フィラメント（B）は導線(La３)と、導線（La４）とを含んでなる。該フィラメント（C）は導線（Lb4）と、導線（Lb2）とを含んでなる。該フィラメント（D）は、導線（Lb３）と導線（Lb３）とを含んでなる。また、導線（Lb２）と、導線（Lb３）との間には電子抵抗装置（RS）を設ける。
【００１２】
図２に、他の実施形態を開示する。図示によれば、第１図と、第２図の４極蛍光灯ランプ（FL）は同様の部品から形成され、それぞれの部品には同じ記号が表示されているため、詳しい説明は省略する。図示によると、この発明の４極蛍光灯ランプは、電子回路の中に設けられる。電極（A）と電極（D）では、１つの導線がPNPトランジスタ（TR-1）、（TR-4）に接続する。また、電極（C）と、電極（B）では、１つの導線がNPNトランジスタ（TR-2）、（TR-3）に接続する。該トランジスタ（TR-1）、（TR-2）、（TR-3）（TR-4）は対応する導線を切り替えて使用する。
【００１３】
コンデンサ（C1）、（C2）、（C3）、（C4）は電荷保存に使用され、且つ、トランジスタに電気を供給するため、トランジスタを駆動させることができる。コンデンサ（C1）は、トランジスタ（TR-1）、（TR-2）のエミッター間に接続し、コンデンサ（C2）はトランジスタ（TR-1）（TR-2）のコレクター（集電極）間に設けられる。コンデンサ（C4）は、トランジスタ（TR-3）、（TR-4）のエミッター間に設けられ、コンデンサ（C3）は、トランジスタ（TR-3）、（TR-4）のコレクター（集電極）間に設けられる。トランジスタ（TR-1）は抵抗（R3）、（R2）を通してトランジスタ（TR-2）のエミッターに接続する。トランジスタ（TR-2）のベース電極は、抵抗（R4）（R5）を通してトランジスタ（TR-1）のエミッターに接続する。トランジスタ（TR-3）のベース電極は、抵抗（R9）、（R8）を通してトランジスタ（TR-4）のエミッターに接続する。トランジスタ（TR-4）のベース電極は、抵抗（R10）、（R11）を通してトランジスタ（TR-3）のエミッターに接続する。
【００１４】
全てのダイオードを直列で電気的に接続し、全波整流回路を形成し、該回路の一端が電源のC’端に電気的に接続し、他端が電源のA’端に電気的に接続する。
【００１５】
トランジスタ（TR-1）、（TR-2）、（TR-3）、（TR-4）が接続するトランジスタは電流の制限された抵抗を通してダイオードに接続する。即ち、トランジスタ（TR-1）のベース電極は抵抗（R3）、（R1）を通してダイオード（D1）、（D2）の間に接続する。トランジスタ（TR-2）のベース電極は抵抗（R4）、（R6）を通してダイオード（D3）、（D4）の間に接続する。トランジスタ（TR-3）のベース電極は電気抵抗（R9）、（R7）を通してダイオード（D5）、（D6）の間に接続する。トランジスタ（TR-4）のベース電極は電気抵抗（R10）、（R12）を通してダイオード（D7）、（D8）の間に接続する。
【００１６】
ヒューズ（FUSE）は電気回路の安全を保護する。
【００１７】
図２に開示するように、電源スイッチ（S-1）は、スイッチを切る場合、電力も切られ、４極蛍光灯ランプも消される。
【００１８】
電源スイッチ（S-1）をH点にする場合、４極蛍光灯ランプ（FL）は輝度が高くなる。また、電源スイッチ（S-1）がMR点の場合、４極蛍光灯ランプ（FL）の輝度は中程度になり、電源スイッチ（S-1）がLR点の場合、４極蛍光灯ランプ（FL）の輝度が低程度になる（MR、LRは電流制限の抵抗とする）。
【００１９】
PNPトランジスタ（TR-1）に対して、AC電圧のA’端がプラスに半周すると、ダイオード（D1）、（D2）に接続する。また、抵抗（R1）は抵抗（R2）よりも小さいため、トランジスタ（TR-1）は電源が切られる。ダイオード（D1）、（D2）はコンデンサ（C1）を充電する。該AC電源のA’端の電圧がマイナスに半周すると、ダイオード（D1）、（D2）の電源が切られ、コンデンサ（C1）のマイナス側の電荷がR2、R3を通してトランジスタ（TR-1）に流れる。また、コンデンサ（C1）のプラス極側の電荷がトランジスタ（TR-1）に流れ、コンデンサ（C2）と導線（La1）を充電する。
【００２０】
NPNトランジスタ（TR-2）に関しては、該AC電源のC’端のマイナス半周がダイオード（D4）、（D3）に接続している。また、電気抵抗（R6）は電気抵抗（R5）よりも小さいため、トランジスタ（TR-2）の電源が切られ、ダイオード（D4）、（D3）はコンデンサ（C1）に充電される。AC電源のC’端の電圧がプラス半周する場合、ダイオード（D4）、（D3）の電源が切られ、且つ、コンデンサ（C1）のプラス極側の電荷がR5とR4を通してトランジスタ（TR-2）に流れる。また、コンデンサ（C1）のマイナス極側の電荷がトランジスタ（TR-2）に流れ、コンデンサ（C2）と、導線（Lb1）を充電する。
【００２１】
NPNトランジスタ（TR-3）、AC電圧のA’端のマイナス半周はダイオード（D5）、（D6）に分かれる。電気抵抗（R7）は電気抵抗（R8）よりも小さいため、トランジスタ（TR-3）の電源が切られる。ダイオード（D5）、（D6）はコンデンサ（C4）を充電する。AC電源のA’端の電圧がプラスに半周する場合、ダイオード（D5）、（D6）の電源が切られ、且つ、コンデンサ（C4）のプラス極側の電荷がR8、R9をとおしてトランジスタ（TR-3）に流れる。よってコンデンサ（C4）のマイナス極側の電荷がトランジスタ（TR-3）に流れ、コンデンサ（C3）、導線（La4）を充電する。
【００２２】
PNPトランジスタ（TR-4）については、AC電源のC’端のプラス半周がダイオード（D8）、（D7）に接続する。電気抵抗（R12）は電気抵抗（R11）よりも小さいため、トランジスタ（TR-4）の電源を切断する。ダイオード（D8）、（D7）はコンデンサ（C4）を充電する。AC電源のC’端の電圧がマイナスに半周する場合、ダイオード（D8）、（D7）の電源が切断され、コンデンサ（C4）のマイナス極側の電荷がR11、R10を通してトランジスタ（TR-4）にながれる。コンデンサ（C4）のプラス極側の電荷はトランジスタ（TR-4）に流れ、コンデンサ（C3）、導線（Lb4）を充電する。
【００２３】
コンデンサ（C1）を充電する場合、トランジスタ（TR-1）、（TR-2）の電源が切断される。コンデンサ（C4）を充電する場合、トランジスタ（TR-3）、（TR-4）の電源を切断する。トランジスタ（TR-1）、（TR-2）を接続する場合、コンデンサ（C2）が充電される。トランジスタ（TR-3）、（TR-4）を接続する場合、コンデンサ（C3）が充電される。コンデンサ（C2）、（C3）がすでに充電されている場合、コンデンサ（C2）の電荷が導線（La1）へガイドされ、コンデンサ（C2）のマイナス電荷が導線（Lb1）にガイドされる。一方、コンデンサ（C3）のマイナス電荷は導線（La4）にガイドされ、プラス電荷は導線（Lb4）にガイドされる。導線（Lb4）の電流はフィラメント（D）を通して導線（Lb3）に流れた後、電気抵抗Rsに流れ、Lb2と直列に接続する。その後、電流はフィラメント（C）を通して導線（Lb1）に流れ、コンデンサ（C2）のマイナス極側に進入する。よって、直接回路が形成される。フィラメント（A）、フィラメント（B）間の電圧差は2VoC。電極（A）、（B）は放電発光（起動）をはじめ、エネルギー（即ち、陰極法）が発生するため、大量の電子が発生し、ランプの輝度が増加すると共にランプの抵抗が減少し、ランプ内部を流れる電流が増加する。このため、AC電力はC1、C2、C4、C3の順序に電気回路を供し、導線（La1）、導線（Lb1）の電圧、導線（La4）、導線（Lb4）のプラスとマイナス電圧を交換して電力を供する。C１、C4は直接、大きな電流を供給するため、ランプが点灯する。
【００２４】
この発明では、コンデンサの電容量が４極蛍光灯ランプの効率を決定する。QはC（電容量）×V（電圧値）に等しい。また、１（電流値）×T（充電時間）に等しい。この発明においてはスターターを使用する必要がないため、g変圧器と高周波の電力を安定して供給することができる。
【００２５】
熱を使用する方法と、陰極法を両方使用しているため、スターターと同じ効果を有する。電気抵抗Rsはスターターを駆動して電流を流さないため、電極を保護する。また、直流のプラス、マイナス電圧を交換して電力を供給するため、柔らかい光線を発する。
【００２６】
コンデンサ（C2）の電容量は0.003μFで、且つコンデンサ（C3）の電容量が0.003μFであるため、突然波長が変わったり、ノイズが発生したりすることがない。
【００２７】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２８】
【図１】この発明による４極蛍光灯ランプの説明図である。
【図２】この発明による４極蛍光灯ランプの付属回路の説明図である。
【符号の説明】
【００２９】
ＦＬ     ４極蛍光灯ランプ
Ａ、Ｂ、Ｃ、Ｄ フィラメント
Ｌａ１〜Ｌａ４、Ｌｂ１〜Ｌｂ４    導線１        
Ｒ１、Ｒ２                        抵抗
ＴＲ１〜ＴＲ４                    トランジスタ
Ｃ１〜Ｃ４                        コンデンサ
Ｄ１〜Ｄ８                        ダイオード
Ｒｓ                              抵抗
【図１】
2004296443.tif 000003
【図２】
2004296443.tif 000004